(57)【要約】【課題】従来の健康管理支援システムにおいては、疾患の早期発見が最大の目的とされており、得られた生体データより正常、異常の何れであるかを判断することを目的としたデータ処理がなされていた。【解決手段】所定の人間の生体に関する生体データをあらかじめ定められた正常範囲を含む測定範囲において取得し、取得された生体データを送信する検査端末装置１１と、送信されてくる生体データを受信したり、所定の人間側に作成されたフィードバック情報を送信したりする送受信装置２１と、受信された生体データに基づいて、所定の人間側にフィードバックとして提供されるべきフィードバック情報を作成する中央処理装置２３とを備えた総合健康管理および総合健康活動支援サービス提供システムである。【選択図】  図１
2004199358.tif 000002
【特許請求の範囲】
【請求項１】
所定の人間の生体に関する生体データをあらかじめ定められた正常範囲を含む測定範囲において取得し、前記取得された生体データを送信する生体データ取得送信手段と、
前記送信されてくる生体データを受信する生体データ受信手段と、
前記受信された生体データに基づいて、前記所定の人間側にフィードバックとして提供されるべきフィードバック情報を作成するフィードバック情報作成手段と、
前記所定の人間側に、前記作成されたフィードバック情報を送信するフィードバック情報送信手段とを備えた健康サービス提供システム。
【請求項２】
前記受信された生体データに基づいて、前記所定の人間側に提供されるべき物品を決定する物品決定手段と、
前記物品を配送するための所定の物品配送施設側に、前記物品の決定に基づく物品決定情報を送信する物品決定情報送信手段と、
前記送信されてくる物品決定情報に基づいて、前記所定の人間側に前記決定された物品を配送する物品配送手段とをさらに備えた請求項１記載の健康サービス提供システム。
【請求項３】
前記受信された生体データを蓄積する生体データ蓄積手段をさらに備え、
前記物品決定手段は、前記蓄積されている生体データに基づいて、前記所定の人間側に提供されるべき物品を決定する請求項２記載の健康サービス提供システム。
【請求項４】
前記生体データ取得送信手段は、前記所定の人間の居住する居住施設に設けられている請求項１記載の健康サービス提供システム。
【請求項５】
前記生体データ取得送信手段は、定量的に前記生体データを取得することが可能な手段である請求項１記載の健康サービス提供システム。
【請求項６】
前記生体データ取得送信手段は、前記所定の人間が排泄した尿に存在する所定成分の濃度を計測するための手段である請求項１記載の健康サービス提供システム。
【請求項７】
前記尿に存在する所定成分の濃度は、タンパク質、グルコース、アミノ酸の内の少なくとも一つの定量濃度である請求項６記載の健康サービス提供システム。
【請求項８】
前記タンパク質は、アルブミン、グロブリン、ヘモグロビン、ミオグロビンの内の少なくとも一つである請求項７記載の健康サービス提供システム。
【請求項９】
前記物品は、前記生体データ取得送信手段が前記生体データを取得する際に消耗される消耗品である請求項２記載の健康サービス提供システム。
【請求項１０】
前記消耗品の消耗に関する消耗情報を送信する消耗情報送信手段をさらに備え、
前記物品配送手段は、前記送信されてくる消耗情報に基づいて、前記物品を配送するまたは配送しない請求項９記載の健康サービス提供システム。
【請求項１１】
前記物品は、（ａ）前記所定の人間の食生活、前記所定の人間の仕事、前記所定の人間のレジャー活動、前記所定の人間の家族計画の内の少なくとも一つを支援するための物品、および／または（ｂ）女性の生理に関する物品である請求項２記載の健康サービス提供システム。
【請求項１２】
前記フィードバック情報は、（ａ）前記所定の人間の食生活、前記所定の人間の仕事、前記所定の人間のレジャー活動、前記所定の人間の家族計画の内の少なくとも一つを支援するための情報、および／または（ｂ）女性の生理に関する情報である請求項１記載の健康サービス提供システム。
【請求項１３】
所定の人間の生体に関する生体データをあらかじめ定められた正常範囲を含む測定範囲において取得し、前記取得された生体データを送信する生体データ取得送信手段を備え、
前記送信されてくる生体データが受信され、前記受信された生体データに基づいて、前記所定の人間側にフィードバックとして提供されるべきフィードバック情報が作成され、前記所定の人間側に、前記作成されたフィードバック情報が送信される生体データ取得送信装置。
【請求項１４】
所定の人間の生体に関してあらかじめ定められた正常範囲を含む測定範囲において取得され、送信されてくる生体データを受信する生体データ受信手段と、
前記受信された生体データに基づいて、前記所定の人間側にフィードバックとして提供されるべきフィードバック情報を作成するフィードバック情報作成手段と、
前記所定の人間側に、前記作成されたフィードバック情報を送信するフィードバック情報送信手段とを備えた健康サービス提供装置。
【請求項１５】
所定の人間の生体に関する生体データをあらかじめ定められた正常範囲を含む測定範囲において取得し、前記取得された生体データを送信する生体データ取得送信ステップと、
前記送信されてくる生体データを受信する生体データ受信ステップと、
前記受信された生体データに基づいて、前記所定の人間側にフィードバックとして提供されるべきフィードバック情報を作成するフィードバック情報作成ステップと、
前記所定の人間側に、前記作成されたフィードバック情報を送信するフィードバック情報送信ステップとを備えた健康サービス提供方法。
【請求項１６】
請求項１５記載の健康サービス提供方法の、所定の人間の生体に関する生体データをあらかじめ定められた正常範囲を含む測定範囲において取得し、前記取得された生体データを送信する生体データ取得送信ステップと、前記送信されてくる生体データを受信する生体データ受信ステップと、前記受信された生体データに基づいて、前記所定の人間側にフィードバックとして提供されるべきフィードバック情報を作成するフィードバック情報作成ステップと、前記所定の人間側に、前記作成されたフィードバック情報を送信するフィードバック情報送信ステップとをコンピュータに実行させるためのプログラム。
【請求項１７】
請求項１６記載のプログラムを担持した記録媒体であって、コンピュータにより処理可能な記録媒体。
【請求項１８】
所定の人間の生体に関する生体データを取得し、前記取得された生体データを送信する生体データ取得送信手段と、
前記送信されてくる生体データを受信する生体データ受信手段と、
前記受信された生体データに基づいて、前記所定の人間側に提供されるべき物品を決定する物品決定手段と、
前記物品を配送するための所定の物品配送施設側に、前記物品の決定に基づく物品決定情報を送信する物品決定情報送信手段とを備えた健康サービス提供システム。
【請求項１９】
前記送信されてくる物品決定情報に基づいて、前記所定の人間側に前記決定された物品を配送する物品配送手段をさらに備えた請求項１８記載の健康サービス提供システム。
【請求項２０】
外部からの指示に基づいて、前記物品配送手段が前記決定された物品を配送するか配送しないかの制御を行う物品配送制御手段をさらに備え、
前記物品配送手段は、前記制御に基づいて、前記物品を配送するまたは配送しない請求項１９記載の健康サービス提供システム。
【請求項２１】
所定の人間の生体に関する生体データを取得し、前記取得された生体データを送信する生体データ取得送信手段を備え、
前記送信されてくる生体データが受信され、前記受信された生体データに基づいて、前記所定の人間側に提供されるべき物品が決定され、前記物品を配送するための所定の物品配送施設側に、前記物品の決定に基づく物品決定情報が送信される生体データ取得送信装置。
【請求項２２】
所定の人間の生体に関して取得され、送信されてくる生体データを受信する生体データ受信手段と、
前記受信された生体データに基づいて、前記所定の人間側に提供されるべき物品を決定する物品決定手段と、
前記物品を配送するための所定の物品配送施設側に、前記物品の決定に基づく物品決定情報を送信する物品決定情報送信手段とを備えた健康サービス提供装置。
【請求項２３】
所定の人間の生体に関する生体データを取得し、前記取得された生体データを送信する生体データ取得送信ステップと、
前記送信されてくる生体データを受信する生体データ受信ステップと、
前記受信された生体データに基づいて、前記所定の人間側に提供されるべき物品を決定する物品決定ステップと、
前記物品を配送するための所定の物品配送施設側に、前記物品の決定に基づく物品決定情報を送信する物品決定情報送信ステップとを備えた健康サービス提供方法。
【請求項２４】
請求項２３記載の健康サービス提供方法の、所定の人間の生体に関する生体データを取得し、前記取得された生体データを送信する生体データ取得送信ステップと、前記送信されてくる生体データを受信する生体データ受信ステップと、前記受信された生体データに基づいて、前記所定の人間側に提供されるべき物品を決定する物品決定ステップと、前記物品を配送するための所定の物品配送施設側に、前記物品の決定に基づく物品決定情報を送信する物品決定情報送信ステップとをコンピュータに実行させるためのプログラム。
【請求項２５】
請求項２４記載のプログラムを担持した記録媒体であって、コンピュータにより処理可能な記録媒体。
【発明の詳細な説明】
【０００１】
【発明の属する技術分野】
本発明は、たとえば、家庭などの個人の日常生活において個人の生体データを取得し、取得された生体データに基づき、日常生活における当該個人の総合的な健康管理および／または活動を支援するための、健康サービス提供システム、生体データ取得送信装置、健康サービス提供装置、健康サービス提供方法、プログラム、および記録媒体に関する。
【０００２】
【従来の技術】
医療技術の進歩に伴い、長寿命化が進んでいる反面、同時に高齢者が人口に占める割合が増加する、いわゆる社会の高齢化は全世界的な問題となっている。高齢化社会においては、糖尿病、心臓疾患、リウマチなどの慢性疾患の比率が必然的に高まる。
【０００３】
このような現代社会においては、健康管理・健康維持・健康増進に対する人々の認識が向上している。
【０００４】
人々は、疾患の早期発見または予防のために、医療施設の専門家の診断や助言を受けるだけでなく、個人で自身の健康管理・維持・増進の努力をしている。
【０００５】
この個人の健康管理に役立てるための、家庭内で個人の生体データを取得し本情報を医療施設へ送信し、医療施設は本情報を前記個人および／またはクライアントが理解しやすいように加工、解説し、前記個人および／またはクライアントへ返信する健康管理支援システムおよびサービスが多数開発されている（たとえば、下記の特許文献１参照）。
【０００６】
【特許文献１】
特開２００１−１３７１９９号公報
【０００７】
【発明が解決しようとする課題】
ところで、このような従来の健康管理支援システムにおいては、個人の生体データにおいて異常が発見されると、即座に本人および／またはクライアントへ通知することに主眼が置かれていることに、本発明者は気付いた。
【０００８】
言い換えると、このような従来の健康管理支援システムにおいては、疾患の早期発見が最大の目的とされており、得られた生体データより正常、異常の何れであるかを判断することを目的としたデータ処理がなされていることに、本発明者は気付いた。
【０００９】
より具体的に述べると、このような従来の健康管理支援システムにおいては、尿中、血液中、唾液中の特定成分濃度が、正常と異常の境界に相当する閾値濃度よりも高いか低いかを２段階判定するいわゆる定性判定することを目的として、データ処理が行われていた（もちろん、場合によっては、異常の程度を段階的に示すために、閾値濃度よりも高い濃度域の計測値を複数の段階に別けて判定する半定量判定することも有った。なお、臨床検査では、定性検査で異常と判定された場合に、定量検査なされている）。
【００１０】
したがって、従来は、正常濃度域（すなわち閾値濃度よりも低い濃度域）にある計測値が定量的には扱われていなかった。
【００１１】
これは、健康管理支援の指標として上述のような正常濃度域における定量計測を仮に行ったとしても、従来の健康管理支援システムにおいてはこの計測値を活用できていないことによると、本発明者は考えている。
【００１２】
しかしながら、通常は正常とされている範囲においても、体調に応じて濃度は変化することに、本発明者は気付いた。
【００１３】
たとえば、尿中のタンパク質濃度は、正常範囲（約３０ｍｇ／ｄｌ以下）であっても、定量計測すると、発熱、妊娠、筋肉疲労によって、変化することが知られている。
【００１４】
また、「スポーツ医科学、中野昭一編集、杏林書院、１９９９年発行、ｐｐ．２１５〜２２０」に記載されているように、たとえば、尿中アルブミン濃度は、心拍数を指標とした日常生活活動強度と関連性が示されている。また、激しい運動後は、尿潜血（尿中ヘモグロビン）濃度が増加することも示されている。
【００１５】
また、「設置型尿糖測定装置を用いた糖尿病管理、メディカル朝日、２０００年２月号」に記載されているように、たとえ正常範囲（約１００ｍｇ／ｄｌ以下）においても、尿糖濃度を定量計測すると、血糖値に応じて変化する。
【００１６】
本発明は、上記従来のこのような課題を考慮し、生体データの測定結果をより有効に活用することができる健康サービス提供システム、生体データ取得送信装置、健康サービス提供装置、健康サービス提供方法、プログラム、および記録媒体を提供することを目的とするものである。
【００１７】
【課題を解決するための手段】
第１の本発明は、所定の人間の生体に関する生体データをあらかじめ定められた正常範囲を含む測定範囲において取得し、前記取得された生体データを送信する生体データ取得送信手段（１１）と、
前記送信されてくる生体データを受信する生体データ受信手段（２１）と、
前記受信された生体データに基づいて、前記所定の人間側にフィードバックとして提供されるべきフィードバック情報を作成するフィードバック情報作成手段（２３）と、
前記所定の人間側に、前記作成されたフィードバック情報を送信するフィードバック情報送信手段（２１）とを備えた健康サービス提供システムである。
【００１８】
第２の本発明は、前記受信された生体データに基づいて、前記所定の人間側に提供されるべき物品を決定する物品決定手段（２３）と、
前記物品を配送するための所定の物品配送施設側に、前記物品の決定に基づく物品決定情報を送信する物品決定情報送信手段（２１）と、
前記送信されてくる物品決定情報に基づいて、前記所定の人間側に前記決定された物品を配送する物品配送手段（３１）とをさらに備えた第１の本発明の健康サービス提供システムである。
【００１９】
第３の本発明は、前記受信された生体データを蓄積する生体データ蓄積手段（２２）をさらに備え、
前記物品決定手段（２３）は、前記蓄積されている生体データに基づいて、前記所定の人間側に提供されるべき物品を決定する第２の本発明の健康サービス提供システムである。
【００２０】
第４の本発明は、前記生体データ取得送信手段（１１）は、前記所定の人間の居住する居住施設に設けられている第１の本発明の健康サービス提供システムである。
【００２１】
第５の本発明は、前記生体データ取得送信手段（１１）は、定量的に前記生体データを取得することが可能な手段である第１の本発明の健康サービス提供システムである。
【００２２】
第６の本発明は、前記生体データ取得送信手段（１１）は、前記所定の人間が排泄した尿に存在する所定成分の濃度を計測するための手段である第１の本発明の健康サービス提供システムである。
【００２３】
第７の本発明は、前記尿に存在する所定成分の濃度は、タンパク質、グルコース、アミノ酸の内の少なくとも一つの定量濃度である第６の本発明の健康サービス提供システムである。
【００２４】
第８の本発明は、前記タンパク質は、アルブミン、グロブリン、ヘモグロビン、ミオグロビンの内の少なくとも一つである第７の本発明の健康サービス提供システムである。
【００２５】
第９の本発明は、前記物品は、前記生体データ取得送信手段（１１）が前記生体データを取得する際に消耗される消耗品である第２の本発明の健康サービス提供システムである。
【００２６】
第１０の本発明は、前記消耗品の消耗に関する消耗情報を送信する消耗情報送信手段（１１）をさらに備え、
前記物品配送手段（３１）は、前記送信されてくる消耗情報に基づいて、前記物品を配送するまたは配送しない第９の本発明の健康サービス提供システムである。
【００２７】
第１１の本発明は、前記物品は、（ａ）前記所定の人間の食生活、前記所定の人間の仕事、前記所定の人間のレジャー活動、前記所定の人間の家族計画の内の少なくとも一つを支援するための物品、および／または（ｂ）女性の生理に関する物品である第２の本発明の健康サービス提供システムである。
【００２８】
第１２の本発明は、前記フィードバック情報は、（ａ）前記所定の人間の食生活、前記所定の人間の仕事、前記所定の人間のレジャー活動、前記所定の人間の家族計画の内の少なくとも一つを支援するための情報、および／または（ｂ）女性の生理に関する情報である第１の本発明の健康サービス提供システムである。
【００２９】
第１３の本発明は、所定の人間の生体に関する生体データをあらかじめ定められた正常範囲を含む測定範囲において取得し、前記取得された生体データを送信する生体データ取得送信手段（１１）を備え、
前記送信されてくる生体データが受信され、前記受信された生体データに基づいて、前記所定の人間側にフィードバックとして提供されるべきフィードバック情報が作成され、前記所定の人間側に、前記作成されたフィードバック情報が送信される生体データ取得送信装置（１０）である。
【００３０】
第１４の本発明は、所定の人間の生体に関してあらかじめ定められた正常範囲を含む測定範囲において取得され、送信されてくる生体データを受信する生体データ受信手段（２１）と、
前記受信された生体データに基づいて、前記所定の人間側にフィードバックとして提供されるべきフィードバック情報を作成するフィードバック情報作成手段（２３）と、
前記所定の人間側に、前記作成されたフィードバック情報を送信するフィードバック情報送信手段（２１）とを備えた健康サービス提供装置（２０）である。
【００３１】
第１５の本発明は、所定の人間の生体に関する生体データをあらかじめ定められた正常範囲を含む測定範囲において取得し、前記取得された生体データを送信する生体データ取得送信ステップと、
前記送信されてくる生体データを受信する生体データ受信ステップと、
前記受信された生体データに基づいて、前記所定の人間側にフィードバックとして提供されるべきフィードバック情報を作成するフィードバック情報作成ステップと、
前記所定の人間側に、前記作成されたフィードバック情報を送信するフィードバック情報送信ステップとを備えた健康サービス提供方法である。
【００３２】
第１６の本発明は、第１５の本発明の健康サービス提供方法の、所定の人間の生体に関する生体データをあらかじめ定められた正常範囲を含む測定範囲において取得し、前記取得された生体データを送信する生体データ取得送信ステップと、前記送信されてくる生体データを受信する生体データ受信ステップと、前記受信された生体データに基づいて、前記所定の人間側にフィードバックとして提供されるべきフィードバック情報を作成するフィードバック情報作成ステップと、前記所定の人間側に、前記作成されたフィードバック情報を送信するフィードバック情報送信ステップとをコンピュータに実行させるためのプログラムである。
【００３３】
第１７の本発明は、第１６の本発明のプログラムを担持した記録媒体であって、コンピュータにより処理可能な記録媒体である。
【００３４】
第１８の本発明は、所定の人間の生体に関する生体データを取得し、前記取得された生体データを送信する生体データ取得送信手段（１１）と、
前記送信されてくる生体データを受信する生体データ受信手段（２１）と、
前記受信された生体データに基づいて、前記所定の人間側に提供されるべき物品を決定する物品決定手段（２３）と、
前記物品を配送するための所定の物品配送施設側に、前記物品の決定に基づく物品決定情報を送信する物品決定情報送信手段（２１）とを備えた健康サービス提供システムである。
【００３５】
第１９の本発明は、前記送信されてくる物品決定情報に基づいて、前記所定の人間側に前記決定された物品を配送する物品配送手段（３１）をさらに備えた第１８の本発明の健康サービス提供システムである。
【００３６】
第２０の本発明は、外部からの指示に基づいて、前記物品配送手段が前記決定された物品を配送するか配送しないかの制御を行う物品配送制御手段（１２）をさらに備え、
前記物品配送手段（３１）は、前記制御に基づいて、前記物品を配送するまたは配送しない第１９の本発明の健康サービス提供システムである。
【００３７】
第２１の本発明は、所定の人間の生体に関する生体データを取得し、前記取得された生体データを送信する生体データ取得送信手段（１１）を備え、
前記送信されてくる生体データが受信され、前記受信された生体データに基づいて、前記所定の人間側に提供されるべき物品が決定され、前記物品を配送するための所定の物品配送施設側に、前記物品の決定に基づく物品決定情報が送信される生体データ取得送信装置（１０）である。
【００３８】
第２２の本発明は、所定の人間の生体に関して取得され、送信されてくる生体データを受信する生体データ受信手段（２１）と、
前記受信された生体データに基づいて、前記所定の人間側に提供されるべき物品を決定する物品決定手段（２３）と、
前記物品を配送するための所定の物品配送施設側に、前記物品の決定に基づく物品決定情報を送信する物品決定情報送信手段（２１）とを備えた健康サービス提供装置（２０）である。
【００３９】
第２３の本発明は、所定の人間の生体に関する生体データを取得し、前記取得された生体データを送信する生体データ取得送信ステップと、
前記送信されてくる生体データを受信する生体データ受信ステップと、
前記受信された生体データに基づいて、前記所定の人間側に提供されるべき物品を決定する物品決定ステップと、
前記物品を配送するための所定の物品配送施設側に、前記物品の決定に基づく物品決定情報を送信する物品決定情報送信ステップとを備えた健康サービス提供方法である。
【００４０】
第２４の本発明は、第２３の本発明の健康サービス提供方法の、所定の人間の生体に関する生体データを取得し、前記取得された生体データを送信する生体データ取得送信ステップと、前記送信されてくる生体データを受信する生体データ受信ステップと、前記受信された生体データに基づいて、前記所定の人間側に提供されるべき物品を決定する物品決定ステップと、前記物品を配送するための所定の物品配送施設側に、前記物品の決定に基づく物品決定情報を送信する物品決定情報送信ステップとをコンピュータに実行させるためのプログラムである。
【００４１】
第２５の本発明は、第２４の本発明のプログラムを担持した記録媒体であって、コンピュータにより処理可能な記録媒体である。
【００４２】
【発明の実施の形態】
以下に、本発明の実施の形態について、図面を参照しつつ説明を行う。
【００４３】
（実施の形態１）
はじめに、本発明の実施の形態１の総合健康管理および総合健康活動支援サービス提供システムの構成図である図１を主として参照しながら、本実施の形態の総合健康管理および総合健康活動支援サービス提供システムの構成について説明する。
【００４４】
本実施の形態の総合健康管理および総合健康活動支援サービス提供システムは、ネットワーク１を介して互いに接続された、ユーザ宅側システム１０と、サービスセンター側システム２０と、薬局側システム３０とから構成されている
（１）はじめに、ユーザＸ側にあるユーザ宅側システム１０の構成について説明する。
【００４５】
検査端末装置１１は、ユーザＸの生体に関する生体データ（本実施の形態においては、検査日時、尿中タンパク質濃度、尿糖濃度）を生体データ検出用試薬Ａ１〜Ａ３を利用して取得し、取得された生体データを送信するための手段である。また、検査端末装置１１は、生体データ検出用試薬Ａ１〜Ａ３の消耗に関する物品消耗情報を送信する機能を有している。
【００４６】
ユーザ入出力端末装置１２は、物品配送装置３１が決定された物品を配送するか配送しないかの制御をユーザＸの入力に応じて行ったり、後述のフィードバック情報（付加価値情報）を受信してユーザＸに出力するための手段である。
【００４７】
このように、生体データ（生体情報）が取得される条件としては、たとえば、時間や、起床、食後、運動、排泄等の何らかの行為からの経過時間や、食事、運動内容等の行為の内容や、生理の状況（有無もしくは出血量）が挙げられる。もちろん、この条件としては、生体データ間の相互関係も挙げられる。たとえば、尿糖値、尿タンパク値、尿中アルブミン濃度、尿中ヘモグロビン濃度を計測する場合においては、排尿された時点での、体温、血圧、心拍数なども取得される。そして、サービスセンター側システム２０においては、これらの計測値も同時に蓄積され、データベース化される
（２）つぎに、サービスを実施する業者Ｙ側にあるサービスセンター側システム２０の構成について説明する。
【００４８】
送受信装置２１は、ユーザ宅側システム１０側から送信されてくる生体データおよび物品消耗情報を受信したり、ユーザ宅側システム１０側に作成されたフィードバック情報を送信したり、薬局側システム３０側に物品決定情報を送信したりするための手段である。
【００４９】
記憶装置２２は、本発明の実施の形態１のデータベースの説明図である図２に示されているようなデータベース形式で、受信された生体データを蓄積するための手段である。図２に示されているように、本実施の形態のデータベース形式は、ユーザ名、検査日時、尿中タンパク質濃度、尿糖濃度の項目を有しており、たとえば、ユーザ名「ユーザＸ」、検査日時「２００２年１１月１日１２時１２分」、尿中タンパク質濃度「２８ｍｇ／ｄｌ」、尿糖濃度「１０５ｍｇ／ｄｌ」のような記載を有している。
【００５０】
中央処理装置２３は、受信され蓄積されている生体データに基づいて、ユーザ宅側システム１０側に提供されるべき生体データ検出用試薬Ａ１〜Ａ３や対症服用薬Ｂなどの物品を決定し、ユーザＸからの指示に基づいてそれらの物品を配送するための薬局側システム３０側に、決定に基づく物品決定情報を送信するための手段である。また、中央処理装置２３は、受信された生体データに基づいて、ユーザ宅側システム１０側にフィードバックとして提供されるべきフィードバック情報を作成するための手段である。
【００５１】
このように、ユーザ宅側システム１０においては、通常の基準では正常とされる範囲の生体データも定期的に定量計測され、その計測値が総合健康管理および活動支援サービス実施主体であるサービスセンター側システム２０へ送信される。サービスセンター側システム２０においては、当該計測値が受信され各個人別にデータベース化される。すなわち、健康である時の生体データは、定量計測された計測値として、生体データが取得された条件とともに各個人別に蓄積される。こうして作成したデータベースと毎回取得された生体データとを比較参照することで、生体データを各個人に最も適した形態に加工されたデータを個人および／またはクライアントに送信することができる。
【００５２】
（３）つぎに、ユーザＸによって指定されたあらかじめ指定されたユーザＸの自宅近辺の薬局Ｙ側にある薬局側システム３０の構成について説明する。
【００５３】
物品配送装置３１は、送信されてくる物品決定情報、物品消耗情報に基づいて、ユーザ宅側システム１０側に決定された生体データ検出用試薬Ａ１〜Ａ３や対症服用薬Ｂを梱包して、配送用トラック（図示省略）に積載するための手段である。
【００５４】
このように、薬局側システム３０においては、各個人および／または各クライアントに最も適した物品を最適な時期に配送するための手配を行う。
【００５５】
なお、ユーザ宅側システム１０は本発明の生体データ取得送信装置を含む手段に対応し、検査端末装置１１は本発明の生体データ取得送信手段、および消耗情報送信手段を含む手段に対応し、ユーザ入出力端末装置１２は本発明の物品配送制御手段を含む手段に対応する。また、サービスセンター側システム２０は本発明の健康サービス提供装置を含む手段に対応し、送受信装置２１は本発明の生体データ受信手段、物品決定情報送信手段、およびフィードバック情報送信手段を含む手段に対応し、記憶装置２２は本発明の生体データ蓄積手段を含む手段に対応し、中央処理装置２３は本発明の物品決定手段、およびフィードバック情報作成手段を含む手段に対応する。また、薬局側システム３０は本発明の物品配送手段を含む手段に対応し、物品配送装置３１は本発明の物品配送手段を含む手段に対応する。また、本実施の形態の総合健康管理および総合健康活動支援サービス提供システムは、本発明の健康サービス提供システムを含む手段に対応する。
【００５６】
つぎに、本発明の実施の形態１の総合健康管理および総合健康活動支援サービス提供システムの動作の説明図である図５を主として参照しながら、本実施の形態の総合健康管理および総合健康活動支援サービス提供システムの動作について説明する。なお、本実施の形態の総合健康管理および総合健康活動支援サービス提供システムの動作について説明しながら、本発明の健康サービス提供方法の一実施の形態についても説明する。
【００５７】
（Ａ）はじめに、生体情報取得現場における動作について説明を行う。
【００５８】
ステップ１；検査端末装置１１は、ユーザＸの生体に関する生体データを生体データ検出用試薬Ａ１〜Ａ３を利用して取得し、取得された生体データとしてユーザ名「ユーザＸ」、検査日時「２００２年１１月１日１２時１２分」、尿中タンパク質濃度「２８ｍｇ／ｄｌ」、尿糖濃度「１０５ｍｇ／ｄｌ」をネットワーク１を介してサービスセンター側システム２０へ送信する。また、検査端末装置１１は、生体データ検出用試薬Ａ１〜Ａ３の消耗に関する物品消耗情報を送信する。
【００５９】
ユーザ入出力端末装置１２は、物品配送装置３１が決定された物品を配送するような制御をユーザの入力に応じて行う。
【００６０】
（Ｂ）つぎに、総合健康管理および総合健康活動支援サービス実施主体における動作について説明を行う。
【００６１】
ステップ２〜４；送受信装置２１は、ユーザ宅側システム１０側から送信されてくる生体データおよび物品消耗情報を受信する。
【００６２】
記憶装置２２は、本発明の実施の形態１のデータベースの説明図である図２に示されているようなデータベース形式で、受信された生体データを蓄積する。
【００６３】
中央処理装置２３は、受信され蓄積されている生体データおよび物品消耗情報に基づいて、ユーザ宅側システム１０側に提供されるべき生体データ検出用試薬Ａ１や対症服用薬Ｂなどの物品を決定する。
【００６４】
中央処理装置２３は、ユーザ入出力端末装置１２から行われた前述の制御に基づいて、それらの物品を配送するための薬局側システム３０側に、決定に基づく物品決定情報を送信する。また、中央処理装置２３は、受信された生体データに基づいて、ユーザ宅側システム１０側にフィードバックとして提供されるべきフィードバック情報を作成する。
【００６５】
送受信装置２１は、ネットワーク１を介して、ユーザ宅側システム１０側に作成されたフィードバック情報を送信し、薬局側システム３０側に物品決定情報を送信する。
【００６６】
ユーザ入出力端末装置１２は、フィードバック情報を受信して、本発明の実施の形態１の出力画面（その１）の説明図である図３に示されているような出力画面をユーザに出力する。図３に示されているように、フィードバック情報には、（１）物品が送付されることを告知する旨のメッセージＭ１「ご指定により、薬局Ｙより生体データ検出用試薬Ａ１および服用薬Ｂが送付されます。」や、（２）症状が改善されていないことを警告する旨のメッセージＭ２「尿糖濃度が増加しておりますので、服用薬Ｂのご利用をお勧めします。」も付属されている。
【００６７】
なお、ユーザ入出力端末装置１２は、メッセージＭ３「あなたへのメニュー」をご覧になりたい方は、下のボタンをクリックして下さい。」を見たユーザによるポインタＰでのボタンＢのクリックに応じて、リンク情報が埋め込まれていたウェブサイト（図示省略）へのアクセスを行った。そして、ユーザ入出力端末装置１２は、本発明の実施の形態１の出力画面（その２）の説明図である図３に示されているような出力画面をユーザに出力した。図３に示されているように、上述の検査結果が考慮された料理のレセピが提供される。
【００６８】
物品配送装置３１は、送信されてくる物品決定情報、物品消耗情報に基づいて、ユーザ宅側システム１０側に決定された生体データ検出用試薬Ａ１や対症服用薬Ｂを梱包し、配送用トラック（図示省略）に積載する。
【００６９】
以上においては、本発明にかかる実施の形態に関して詳細に説明した。
【００７０】
【実施例】
（実施例１）
たとえば糖尿病の人に対しては、空腹時と食後の尿糖値を、日々の変化を把握しやすいようにグラフ等で可視化して示す。
【００７１】
ここで、正常濃度域とされている尿糖値も定量計測することで、グラフ化の価値を付加することができる。
【００７２】
これと同時に、合併症である糖尿病性腎症の兆候をできる限り早い段階で察知するために、尿中アルブミン濃度も計測して、この計測値の長期的に推移が把握しやすいように、尿糖値の場合に比べて長い時間スケールの変化（月々の変化）をグラフ等で可視化する。
【００７３】
ここで、計測値の傾向に応じて、各個人に最も適した、食事メニューさらにはレシピ等の情報を提供すると、個人および／またはクライアントにとってより便利である。
【００７４】
また、これら情報だけでなく、食事そのものまたは食材を配送すると、さらに便利で効果的である。
【００７５】
たとえば、「新・糖尿病性腎症、繁田・海津編集、医学書院、１９９２年発行、ｐｐ．２９８〜３０７」に記載されているように、食事の内容を制御することで、糖尿病性腎症の進行を遅らせることができ、個人および／またはクライアントにとって利益になる。
【００７６】
より具体的には、総合的な栄養を考慮した上で、タンパク質の摂取量を標準体重あたり（０．８ｇ／ｋｇ・日）以下に制限すると効果が期待できる。
【００７７】
この際、上述の文献に示された糖尿病性腎症用食品交換表を利用して、食事メニューを提供する。
【００７８】
食事メニューを糖尿病性腎症用食品交換表に基づいて毎日作成することは、専門家でない一般の人にとって、難しく継続するのに、極めて大きな労力を要する。
【００７９】
したがって、本発明による支援サービスは、個人および／またはクライアントにとって大変便利であり、実用上極めて効果が大きい。
【００８０】
（実施例２）
妊娠を望む人または望まない人の場合には、尿中のエストラジオール（Ｅ２）、プレグナンジオール（Ｐｄ）黄体形成ホルモン（Ｌｕｔｅｉｎｉｚｉｎｇ  Ｈｏｒｍｏｎｅ：ＬＨ）等の女性ホルモン濃度を毎日計測し、これらの日々の変化をグラフ等で可視化して、排卵日を把握しやすいように示す。
【００８１】
また、排卵が起こりうる確率を日毎に予想して示して、個人および／またはクライアントの要望に沿った形態にデータを加工する。
【００８２】
ここで、特開平６−１１８０８２の図５、６に示されているように、尿中ＬＨ濃度は、排卵日の２〜３日前に、急激に増加し、排卵日直前に急激に低下する。すなわち、尿中ＬＨ濃度は、サージ状（ＬＨサージ）に変化する。一方、尿中Ｅ２、Ｐｄ濃度は、ＬＨほど急激には変化せず、連続的に変化する。
【００８３】
したがって、尿中Ｅ２、Ｐｄ濃度を、定量計測してこれらの計測値を総合的に解析することで、よりきめ細かく、排卵日、生理日を予想して示して、個人および／またはクライアントに提供できる。
【００８４】
このように、妊娠を望むまたは望まないという各個人別データベースと、毎回取得された各個人の生体データとを比較参照して、各個人に最も適した形態に加工するすなわち家族計画に関する情報に加工することで、毎回取得された生体データに、新たな価値を付加して個人および／またはクライアントに提供することができる。
【００８５】
このように、毎回取得された生体データを、各個人に最適な家族計画に関する情報に加工して提供することで、専門家でない一般人にも、複雑な生体データを、利用しやすくできるので、実用上きわめて効果的である。
【００８６】
（実施例３）
尿中のエストラジオール（Ｅ２）、プレグナンジオール（Ｐｄ）黄体形成ホルモン（Ｌｕｔｅｉｎｉｚｉｎｇ  Ｈｏｒｍｏｎｅ：ＬＨ）等の女性ホルモン濃度を計測することで、前述の実施例２で説明したように、排卵日や生理日を予測できる。
【００８７】
このような予測値は、仕事、レジャー等の活動日程を計画することに役立つ。
【００８８】
より具体的には、生体データより、排卵日や生理日を予測し、これに基づいて活動計画を提示したり、活動計画立案に役立つ情報、たとえばレジャー情報、天気予報等を提供する。
【００８９】
また、情報だけでなく、この情報より推察される最適な時期に、生理用品や、衣類、レジャー用品等を配送する。
【００９０】
このように生体データより、活動計画立案を支援する情報を提供したり、活動そのものに役立つ物品を最適な時期に配送したりすることで、ユーザは効率的に活動することができるため、極めて実用的である。
【００９１】
（実施例４）
生体データを取得する手段が、トイレに設置され、個人が排泄した尿および／または便に存在する特定成分の濃度を計測する計測装置であると効果的である。
【００９２】
なぜなら、少なくとも一日一回は、トイレを利用するので、継続的に生体データを取得しやすい。
【００９３】
特に、活動の影響を受けずに尿中アルブミンや尿中潜血（ヘモグロビン）を計測したい場合は、起床直後の尿で計測することが望ましく、家庭のトイレに尿中成分を計測する計測装置を設置すると特に効果的である。
【００９４】
ここで、尿中のアルブミン、グロブリン、ヘモグロビン、ミオグロビン等を計測する際は、これらと特異的に結合する抗体を含んだ試薬を使用する。
【００９５】
このような試薬は、計測毎に消費される消耗品である。
【００９６】
通常は、この試薬は、家庭内で一定量保管されており、日々の計測に伴い、消費されるので、連続的な計測を実現するために、完全に消費され尽くす前に、各家庭に配送する特徴を有する。
【００９７】
ここで、試薬の消費量は計測回数の累計に依存するので、計測値を受信するサービス実施主体側で、この計測回数の累計と消費速度から完全に消費され尽くす時期を予想することができる。
【００９８】
したがって、この時期の前に各家庭に到着するように配送することができる。
【００９９】
ここで、計測装置が、新たに試薬が装填されたことを検知して、それを送信する機能を有していると、より正確にかつ確実に、試薬が完全に消費され尽くす時期を予想することができる。
【０１００】
このような計測に使用する試薬には使用期限が存在するため、必要以上に各家庭で保管することは難しいので、在庫量と消費速度から予想して、在庫が無くなり前に試薬を、配送することは便利である。
【０１０１】
なお、上記したクライアントとは、生体データを取得する個人と一致していても良いし、必ずしも生体データを取得する個人と一致しなくても良い。たとえば、生体データを取得する個人の保護者であっても良いし、生体データを取得する個人の健康状態と何らかの利害を有する、雇用者また保険会社等であっても良い。
【０１０２】
以上においては、本発明にかかる実施例に関して詳細に説明した。
【０１０３】
なお、本発明のプログラムは、上述した本発明の健康サービス提供方法の全部または一部のステップ（または、工程、動作、作用等）の動作をコンピュータにより実行させるためのプログラムであって、コンピュータと協働して動作するプログラムである。
【０１０４】
また、本発明の記録媒体は、上述した本発明の健康サービス提供方法の全部または一部のステップ（または、工程、動作、作用等）の全部または一部の動作をコンピュータにより実行させるためのプログラムを担持した記録媒体であり、コンピュータにより読み取り可能かつ、読み取られた前記プログラムが前記コンピュータと協動して前記動作を実行する記録媒体である。
【０１０５】
なお、本発明の上記「一部のステップ（または、工程、動作、作用等）」とは、それらの複数のステップの内の、一つまたは幾つかのステップを意味する。
【０１０６】
また、本発明の上記「ステップ（または、工程、動作、作用等）の動作」とは、前記ステップの全部または一部の動作を意味する。
【０１０７】
また、本発明のプログラムの一利用形態は、コンピュータにより読み取り可能な記録媒体に記録され、コンピュータと協働して動作する態様であっても良い。
【０１０８】
また、本発明のプログラムの一利用形態は、伝送媒体中を伝送し、コンピュータにより読みとられ、コンピュータと協働して動作する態様であっても良い。
【０１０９】
また、本発明のデータ構造としては、データベース、データフォーマット、データテーブル、データリスト、データの種類などを含む。
【０１１０】
また、記録媒体としては、ＲＯＭ等が含まれ、伝送媒体としては、インターネット等の伝送媒体、光・電波・音波等が含まれる。
【０１１１】
また、上述した本発明のコンピュータは、ＣＰＵ等の純然たるハードウェアに限らず、ファームウェアや、ＯＳ、更に周辺機器を含むものであっても良い。
【０１１２】
なお、以上説明した様に、本発明の構成は、ソフトウェア的に実現しても良いし、ハードウェア的に実現しても良い。
【０１１３】
このように、正常とされる範囲の生体データをも定期的に定量計測してその計測値を総合健康管理および活動支援サービス実施主体へ送信し、当該計測値を本サービス実施主体で受信し、各個人別にデータベース化し、各個人に最適な形態に計測値を加工して各個人やクライアントに送信することで、提供する。さらには、情報だけでなく、各個人別データベースと計測値から各個人に最適な、試薬物品等などの物品を選別し、最適な時期に配送する。
【０１１４】
かくして、家庭での健康管理や、個人の活動を効率化できるため、極めて実用的である。
【０１１５】
【発明の効果】
本発明は、たとえば、生体データの測定結果をより有効に活用することができるという長所を有する。
【図面の簡単な説明】
【図１】本発明の実施の形態１の総合健康管理および総合健康活動支援サービス提供システムの構成図
【図２】本発明の実施の形態１のデータベースの説明図
【図３】本発明の実施の形態１の出力画面（その１）の説明図
【図４】本発明の実施の形態１の出力画面（その２）の説明図
【図５】本発明の実施の形態１の総合健康管理および総合健康活動支援サービス提供システムの動作の説明図
【符号の説明】
１０  ユーザ宅側システム
１１  検査端末装置
１２  ユーザ入出力端末装置
２０  サービスセンター側システム
２１  送受信装置
２２  記憶装置
２３  中央処理装置
３０  薬局側システム
３１  物品配送装置
【図１】
2004199358.tif 000003
【図２】
2004199358.tif 000004
【図３】
2004199358.tif 000005
【図４】
2004199358.tif 000006
【図５】
2004199358.tif 000007